(57)【要約】【課題】薄い金属板を簡易な作業で縦枠材に組み立てできるようにして、薄い金属板からなる縦枠材のビスによる結合作業を不要としたパチンコ機の外枠用縦枠材及び該縦枠材を用いたパチンコ機用外枠を提供する。【解決手段】パチンコ機の外枠用縦枠材は、矩形の金属板を複数回長手方向に沿って折り曲げ成形されたものであって、該金属板の短手方向両端の折り曲げ成形された一端側縁部と、他端側縁部が結合するように構成した。【選択図】図１
2010148843.tif 000002
【特許請求の範囲】
【請求項１】
矩形の金属板を複数回長手方向に沿って折り曲げ成形されたものであって、該金属板の短手方向両端の折り曲げ成形された一端側縁部と、他端側縁部が結合してなることを特徴とする、パチンコ機の外枠用縦枠材。
【請求項２】
前記一端側縁部と他端側縁部の結合は、前記一端側縁部に穴部、他端側縁部に切り起こしによる爪部を設け、前記穴部と前記爪部との係合による結合である、請求項１記載のパチンコ機の外枠用縦枠材。
【請求項３】
前記爪部は、前記他端側縁部の縁端から所定幅の位置において切り込まれた部位をその先端部が斜めに突出するように折り曲げて形成された金属片であって、前記爪部が前記穴部に嵌入して前記先端部が前記穴部の内面に当接した状態に維持されて前記爪部と前記穴部との係合がなされる、請求項２記載のパチンコ機の外枠用縦枠材。
【請求項４】
前記爪部は、上下に並行した端縁が成形され、前記穴部は、上下に並行した内端縁が形成され、前記爪部を前記穴部に係合すると前記爪部の上下に並行する端縁が前記穴部の上下に並行する内端縁に当接して係合がなされる、請求項２又は３に記載のパチンコ機の外枠用縦枠材。
【請求項５】
前記金属板の短手方向両端の折り曲げ成形された一端側縁部と他端側縁部は、前記一端側縁部と前記他端側縁部を重ね合わせ、重なった前記両端側縁部同士がかしめ接合されている請求項１乃至４のいずれかに記載のパチンコ機の外枠用縦枠材。
【請求項６】
前記金属板を短手方向の所定の第１位置から長手方向に沿って折り返すことにより２枚重ね部位が成形されてなる、請求項１乃至５のいずれかに記載のパチンコ機の外枠用縦枠材。
【請求項７】
前記２枚重ね部位の短手方向の先端近傍の第２位置で長手方向に沿って折り曲げられることにより突縁が形成されている請求項６に記載のパチンコ機の外枠用縦枠材。
【請求項８】
前記２枚重ね部位は、短手方向の端部から所定の間隔を有して長手方向に沿った空隙部が少なくとも１つ成形されてなる請求項６または７に記載のパチンコ機の外枠用縦枠材。
【請求項９】
前記２枚重ね部位は、前記長手方向の空隙部から短手方向に延びる複数の空隙部が長手方向に所定の間隔を設けて成形されてなる請求項６乃至８のいずれかに記載のパチンコ機の外枠用縦枠材。
【請求項１０】
前記２枚重ね部位の短手方向の先端部分が空隙部を有するように、前記金属板が前記第１位置から折り返されたことを特徴とする、請求項６乃至９のいずれかに記載のパチンコ機の外枠用縦枠材。
【請求項１１】
前記２枚重ね部位は、少なくとも１つの金属板の断面が短手方向に連続する波形が形成されるように、前記長手方向に空隙部が成形されたことを特徴とする、請求項６乃至１０のいずれかに記載のパチンコ機の外枠用縦枠材。
【請求項１２】
前記２枚重ね部位は、前記長手方向の複数の空隙部が成形され、少なくとも１つの金属板の断面が短手方向に連続する矩形であって、前記金属板の断面矩形の各底部において、金属板同士が面接触しているとともにかしめ接合されている、請求項６乃至１１のいずれかに記載のパチンコ機の外枠用縦枠材。
【請求項１３】
前記２枚重ね部位は、前記長手方向の複数の空隙部と短手方向の複数の空隙部が交差するように成形されてなる、請求項８乃至１２のいずれかに記載のパチンコ機の外枠用縦枠材。
【請求項１４】
略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として請求項１乃至１３のいずれかに記載のパチンコ機の外枠用縦枠材を用いたことを特徴とする、パチンコ機の外枠。
【請求項１５】
前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、
前記横枠材は、前記第１結合具及び前記第２結合具の他の固定板部間に挟まれた状態で前記外枠用縦枠材に対して直角になるように配置され、固定されてなる請求項１４に記載のパチンコ機の外枠。
【発明の詳細な説明】
【技術分野】
【０００１】
本発明は、パチンコ機の外枠用縦枠材及び該縦枠材を用いて成るパチンコ機用の外枠に関するものである。
【背景技術】
【０００２】
一般的に、パチンコ機は前枠及び外枠を有し、前枠は遊技盤等が取り付けられ、外枠の縦枠材に前枠の一縁部を中心に回動可能に固定され、外枠に対して開閉できるように構成されている。遊技盤の表側には、各種の入賞口や役物（センター役物）等が設けられ、また、裏側には、制御装置，パチンコ球供給装置等の各種の部品が設けられている。
【０００３】
外枠は、略水平方向に延びる上下一対の横枠材と、略鉛直方向に延びる左右一対の縦枠材とが結合され、全体として四角枠状に形成されている。そして、外枠は、パチンコホールにおいて、「島」と称されるパチンコ機グループを設置するための区画された壁部に取り付けられる。
【０００４】
従来の一般的な外枠は、木材によって形成されていたが、近年、リサイクルや薄肉化により金属が使用されるようになってきた。また最近は、遊技盤に設けられる役物（センター役物）等が大きくなり、それに伴って、遊技盤の裏側に設けられる各種の部品も大きくなってきている。このため、外枠は、所定以上の強度を有する必要がある。外枠を単に金属材料で形成すると、パチンコホールの各区画に対する取付作業が煩雑なものとなるので、外枠は、軽量に形成されている。
【０００５】
例えば、特開２００６−３２６１８０号公報に記載のパチンコ機の外枠は、ほぼ矩形状をなし、遊技盤が取り付けられる前枠がその一縁部を中心に回動可能に取り付けられるパチンコ機の外枠であって、ほぼ水平方向に延びる上下一対の横枠材が木質材料によって形成され、ほぼ鉛直方向に延びる左右一対の縦枠材が、それぞれ２枚の金属板によって中空構造に形成され、これら２枚の金属板をビスによって結合する構成である。
【先行技術文献】
【特許文献】
【０００６】
【特許文献１】特開２００６−３２６１８０号公報
【発明の概要】
【発明が解決しようとする課題】
【０００７】
特許文献１に記載のパチンコ機の外枠は、左右一対の縦枠材のそれぞれが２枚の薄い金属板をビスによって結合して形成されるため、縦枠材の組立て作業が煩雑であるだけでなく、ビスがパチンコ機内に混入するとパチンコ機の電気的故障の原因にもなるのでパチンコ機の外枠用縦枠材の改善が望まれていた。
【０００８】
本発明は、前記課題を解決するもので、薄い金属板を簡易な作業で十分に強度のある縦枠材に組み立てできるようにして、薄い金属板からなる縦枠材の組み立てにおいて、ビスによる結合作業を不要としたものであり、パチンコ機の外枠用縦枠材及び該縦枠材を用いたパチンコ機用外枠を提供することを目的とする。
【課題を解決するための手段】
【０００９】
前記課題を解決するために請求項１記載の発明は、矩形の金属板を複数回長手方向に沿って折り曲げ成形されたものであって、該金属板の短手方向両端の折り曲げ成形された一端側縁部と、他端側縁部が結合してなることを特徴とする、パチンコ機の外枠用縦枠材である。
【００１０】
また、請求項２記載の発明において、前記一端側縁部と他端側縁部の結合は、前記一端側縁部に穴部、他端側縁部に切り起こしによる爪部を設け、前記穴部と前記爪部との係合による結合である、請求項１記載のパチンコ機の外枠用縦枠材である。
【００１１】
また、請求項３記載の発明において、前記爪部は、前記他端側縁部の縁端から所定幅の位置において切り込まれた部位をその先端部が斜めに突出するように折り曲げて形成された金属片であって、前記爪部が前記穴部に嵌入して前記先端部が前記穴部の内面に当接した状態に維持されて前記爪部と前記穴部との係合がなされる、請求項２記載のパチンコ機の外枠用縦枠材である。
【００１２】
また、請求項４記載の発明において、前記爪部は、上下に並行した端縁が成形され、前記穴部は、上下に並行した内端縁が形成され、前記爪部を前記穴部に係合すると前記爪部の上下に並行する端縁が前記穴部の上下に並行する内端縁に当接して係合がなされる、請求項２又は３に記載のパチンコ機の外枠用縦枠材である。
【００１３】
また、請求項５記載の発明において、前記金属板の短手方向両端の折り曲げ成形された一端側縁部と他端側縁部は、前記一端側縁部と前記他端側縁部を重ね合わせ、重なった前記両端側縁部同士がかしめ接合されている請求項１乃至４のいずれかに記載のパチンコ機の外枠用縦枠材である。
【００１４】
また、請求項６記載の発明は、前記金属板を短手方向の所定の第１位置から長手方向に沿って折り返すことにより２枚重ね部位が成形されてなる、請求項１乃至５のいずれかに記載のパチンコ機の外枠用縦枠材である。
【００１５】
また、請求項７記載の発明は、前記２枚重ね部位の短手方向の先端近傍の第２位置で長手方向に沿って折り曲げられることにより突縁が形成されている請求項６に記載のパチンコ機の外枠用縦枠材である。
【００１６】
また、請求項８記載の発明において、前記２枚重ね部位は、短手方向の端部から所定の間隔毎に長手方向に沿った空隙部が少なくとも１つ成形されてなる請求項６または７に記載のパチンコ機の外枠用縦枠材である。
【００１７】
また、請求項９記載の発明において、前記２枚重ね部位は、前記長手方向の空隙部から短手方向に延びる複数の空隙部が長手方向に所定の間隔を設けて成形されてなる請求項６乃至８のいずれかに記載のパチンコ機の外枠用縦枠材である。
【００１８】
また、請求項１０記載の発明は、前記２枚重ね部位の短手方向の先端部分が空隙部を有するように、前記金属板が前記第１位置から折り返されたことを特徴とする、請求項６乃至９のいずれかに記載のパチンコ機の外枠用縦枠材である。
【００１９】
また、請求項１１記載の発明において、前記２枚重ね部位は、少なくとも１つの金属板の断面が短手方向に連続する波形が形成されるように、前記長手方向に空隙部が成形されたことを特徴とする、請求項６乃至１０のいずれかに記載のパチンコ機の外枠用縦枠材である。
【００２０】
また、請求項１２記載の発明において、前記２枚重ね部位は、前記長手方向の複数の空隙部が成形され、少なくとも１つの金属板の断面が短手方向に連続する矩形であって、前記金属板の断面矩形の各底部において、金属板同士が面接触しているとともにかしめ接合されている、請求項６乃至１１のいずれかに記載のパチンコ機の外枠用縦枠材である。
【００２１】
また、請求項１３記載の発明において、前記２枚重ね部位は、前記長手方向の複数の空隙部と短手方向の複数の空隙部が交差するように成形されてなる、請求項８乃至１２のいずれかに記載のパチンコ機の外枠用縦枠材である。
【００２２】
また、請求項１４記載の発明は、略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として請求項１乃至１３のいずれかに記載のパチンコ機の外枠用縦枠材を用いたことを特徴とする、パチンコ機の外枠である。
【００２３】
また、請求項１５記載の発明において、前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、前記横枠材は、前記第１結合具及び前記第２結合具の他の固定板部間に挟まれた状態で前記外枠用縦枠材に対して直角になるように配置され、固定されてなる請求項１４に記載のパチンコ機の外枠である。
【発明の効果】
【００２４】
本発明のパチンコ機の外枠用縦枠材は、矩形の金属板を複数回長手方向に沿って折り曲げ成形されたものであって、該金属板の短手方向両端の折り曲げ成形された一端側縁部と、他端側縁部が結合してなるものであって、薄い金属板を簡易な作業で十分に強度のある縦枠材に組み立てることができ、薄い金属板からなる縦枠材におけるビスによる結合作業が不要となる。
【００２５】
本発明のパチンコ機の外枠用縦枠材において、一端側縁部と他端側縁部の結合は、金属板の短手方向の一端側縁部に穴部、他端側縁部に切り起こしによる爪部を設け、両者を係合した場合、爪部の突出する先端部が穴部の内面に当接して開き止めとなり、爪部の上下に並行する端縁が穴部の上下に並行する内端縁に当接して、係合部においてねじれが抑制され、十分な強度を有するものである。
【００２６】
また、一端側縁部と他端側縁部の結合を２枚の側縁部同士を重ね合わせて機械的に接合してかしめを成形した場合、両者の結合部において、さらに捩れが生じにくくなり強度が増すものである。
【００２７】
また、金属板は、短手方向の途中の所定の第１位置を長手方向に沿って折り曲げて２枚重ね部位が成形され、この２枚重ね部位の短手方向の途中の所定の第２位置で長手方向に沿って折り曲げられて先端近傍に突縁が形成されているので、島に設けられている矩形状の取付枠に外枠を取付けた際に、隙間が生じないものである。
【００２８】
縦枠材は、２枚重ね部位において、所定方向の空隙部を設けているのでこの所定方向に対して撓み変形させないような強度を有する。
【００２９】
縦枠材は、２枚重ね部位において、空隙部を設けている金属板の底部において、金属板同士が面接触し、かしめ接合されているのでさらに撓み変形が生じにくくなり強度が増すものである。
【００３０】
所定の開き角度で連なる２つ以上の固定板部で構成された第１結合具及び第２結合具の素材として、合成樹脂、金属或いは合成樹脂及び金属から成る複合材料のいずれであっても用いることができる。第１結合具及び第２結合具を金属板製にする場合、略直角方向に折り曲げ成形された金属板或いは略直角状に連設する２枚の金属板によりこれらの結合具を構成することができる。このような結合具を使用することによって、前記第１結合具及び第２結合具のそれぞれの片側の固定板部が、縦枠材の両端において短手方向に互いに平行に突き出した状態になる。これらの互いに平行に突き出した固定板部間に横枠材を挟んで配置することで、縦枠材に対して横枠材を容易に配置することができる。また、このような結合具を使用することによって、左右上下の４隅において、それぞれの内側と外側とを結合することができるので、左右の縦枠材と上下の横枠材を強固に接合することができる。
【図面の簡単な説明】
【００３１】
【図１】本発明に係るパチンコ機の外枠を示す斜視図である。
【図２】図１における実施例１の縦枠材を示す斜視図である。
【図３】図１のＡ−Ａ断面図である。
【図４】図２の縦枠材の係合前の状態を示す斜視図である。
【図５】実施例２の縦枠材を示す斜視図である。
【図６】図５のＢ−Ｂ断面図である。
【図７】実施例３の縦枠材を示す斜視図である。
【図８】図７の縦枠材の係合時の手順を示す部分拡大断面図である。
【図９】図７の平面図である。
【図１０】実施例４の第１例の縦枠材を示す平面図である。
【図１１】図１０の第１例の縦枠材に短手方向のリブを追加した第２例の縦枠材を示す正面図である。
【図１２】図１１の縦枠材の平面図である。
【図１３】図１１の縦枠材のＣ−Ｃ断面図である。
【図１４】第３例の縦枠材の断面図である。
【図１５】第４例の縦枠材の正面図である。
【図１６】図１５の縦枠材のＤ−Ｄ断面図である。
【図１７】実施例５の縦枠材の要部を示す斜視図である。
【図１８】実施例５の縦枠材を横枠材と結合した状態の斜視図である。
【図１９】実施例４及び実施例５を組み合わせた縦枠材を使用して組立てたパチンコ機の外枠を示す斜視図である。
【発明を実施するための最良の形態】
【００３２】
以下、実施例を示す図面に基づいて本発明を詳細に説明する。
【実施例１】
【００３３】
図１は本発明に係るパチンコ機の外枠を示す斜視図、図２は図１における実施例１の縦枠材を示す斜視図、図３は、図１のＡ−Ａ断面図、図４は、図２の縦枠材の係合前の状態を示す斜視図、図５は、実施例２の縦枠材を示す斜視図、図６は、図５のＢ−Ｂ断面図である。
【００３４】
図１〜図４において、パチンコ機の外枠１は、略水平方向に延びる上下一対の横枠材２ａ，２ｂと、略鉛直方向に延びる左右一対の縦枠材３とから構成された四角の枠体であって４隅に対応して、略直角に折り曲げられた金属板から成る第１結合具７が使用されている。略水平方向に延びる上下一対の横枠材２ａ，２ｂは木質材料で形成されている。また、下方の横枠材２ｂは、前板部材４によって支持されている。また、一方の縦枠材３には、上下に一対の被係止部材５が設けられている。被係止部材５は、ビス孔５ｃが形成された板状の被取付部５ａ及び被係止部５ｂを有しており、図示しない前枠が閉位置に位置する状態において、前枠に設けられた係止部材が被係止部５ｂに係止することによって、前枠を閉位置に維持するものである。
【００３５】
縦枠材３は、１枚の矩形の金属板１０を短手方向の一端１１ａから第１の所定幅Ｌ１の位置で外面が山折りとなるように長手方向に沿って略直角に折り曲げられて奧側に位置する一端側縁部１２ａが成形されている。一端側縁部１２ａには、長手方向に間隔を設けて複数（図では５個）の長方形の穴部１３が設けられている。
【００３６】
金属板１０において、一端側縁部１２ａと隣接して短手方向に略直角に延長する部位は、一端側縁部１２ａとの折り目１４ａの位置から第２の所定幅Ｌ２の位置で外面が山折りとなるように長手方向に沿って略直角に折り曲げられて奧部に縦枠材３の内側に位置する内側側部１２ｂが成形されている。
【００３７】
また、内側側部１２ｂと隣接して短手方向に略直角に延長する部位は、内側側部１２ｂとの折り目１４ｂの位置から第３の所定幅Ｌ３の位置で谷折りとなるように略直角に折り曲げられて第１縁部１２ａと並行に中間部１２ｃが成形されている。また、中間部１２ｃと隣接して短手方向に略直角に延長する部位は、中間部１２ｃとの折り目１４ｃの位置から第４の所定幅Ｌ４の位置１４ｄから断面半円状に湾曲して成形されている。折り目１４ｃの位置から第４の所定幅Ｌ４の位置までの部位は、縦枠材３の前方近傍に、内側に位置する内側側部１２ｄが成形され、また、内側側部１２ｄと隣接して短手方向に半円状に折り返されて前面部１２ｅが成形されている。なお、内側側部１２ｄは平坦であり、前面部１２ｅは、内側側部１２ｄとの境目１４ｄの位置から断面半円状に湾曲している。
【００３８】
断面半円状の前面部１２ｅから短手方向に平坦に延長する部位は、湾曲した前面部１２ｅの湾曲部と平坦部との境目１４ｅの位置から第５の所定幅Ｌ５の位置で外面が山折りとなるように長手方向に沿って略直角に折り曲げられて内側側部１２ｂ，１２ｄと並行して縦枠材３の外側に位置する外側側部１２ｆが成形されるとともに外側側部１２ｆと隣接して短手方向に略直角に延長して金属板１０の短手方向の他端１１ｂに達し、奧側に位置する他端側縁部１２ｇが成形されている。
【００３９】
また、他端側縁部１２ｇにおいて、外側側部１２ｆとの折り目１４ｆの位置から第６の所定幅Ｌ６の位置に、長手方向に沿って金属板１０の厚み程度の段差１４ｇが設けられ、段差１４ｇから短手方向に延長する部位を金属板１０の厚み程度低く平坦にする。
【００４０】
このように他端側縁部１２ｇは、長手方向に沿って段差１４ｇが設けられているが、段差１４ｇと短手方向の他端１１ｂとの間において、短手方向の他端１１ｂから所定幅Ｌ７の位置で長手方向に沿って内側に折り曲げられて先端にガイド部１５が成形されている。このガイド部１５は、後述する一端側縁部１２ａと他端側縁部１２ｇを重ね合わせる時に、一端側縁部１２ａの先端１１ａがガイド部１５に当接しないようにして他端側縁部１２ｇ上に円滑に重ね合わせできるように設けられたものである。
【００４１】
また、ガイド部１５に隣接して、段差１４ｇに達する段差下部位１２ｈには、一端側縁部１２ａに設けた複数の穴部１３の長手方向の位置に対応して段差１４ｇ側から長方形の扉開きとなるように、長手方向に間隔を設けて複数（図では５個）の長方形の切り起こしによる爪部１６が設けられている。爪部１６は、平行な上下の切り込みを段差１４ｇの側端部で縦に連続させてＵ字状に切り込まれた部位を設けておき、金属板１０を他端側縁部１２ｇの縁端から所定幅の位置において、長手方向に沿って内側に折り曲げて、ガイド部１５が成形されることで、その先端部１６ａが起こされて段差下部位１２ｈから斜めに突出して形成される。
【００４２】
以上の構成の縦枠材３は、奥に内側に突出する角筒部６を有する形状であって、図４に示すように係合前の状態において、金属板１０の短手方向両側に位置する各縁部１２ａ，１２ｇが開いて離間した状態である。縦枠材３は、各縁部１２ａ，１２ｇを閉じて、他端側縁部１２ｇの段差下部位１２ｈの外面上に一端側縁部１２ａを重ね合わせて、各縁部１２ａ，１２ｇのそれぞれに設けた各穴部１３と各爪部１６を係合し、金属板１０の一端側縁部１２ａの内面に他端側縁部１２ｇの段差下部位１２ｈの外面を当接させて両縁部１２ａ，１２ｇを結合して組み立てられる。
【００４３】
爪部１６と穴部１３が係合する場合、爪部１６は、穴部１３の周面に摺接して倒れた姿勢に弾性変形しながら穴部１３内に嵌入して先端部１６ａが起き上がり穴部１３の内面に当接した状態に維持されて穴部１３との係合が完了する。
【００４４】
この状態において、爪部１６は、穴部１３との係合において、先端部１６ａが穴部１３の内面に当接した状態に維持されて開き止めとなっている。また、爪部１６の上下に並行する端縁１６ｂ，１６ｃは、穴部１３の上下に並行する内端縁１３ｂ，１３ｃに当接して爪部１６と穴部１３との係合がなされて捻れ止めとなっており、縦枠材３に捻り変形が生じることがあっても係合部においてねじれが抑制され、縦枠材３は、穴部１３と爪部１６の係合が解除されにくいものである。
【実施例２】
【００４５】
前述した実施例１では、縦枠材３は、１枚の矩形の金属板１０を短手方向の一端１１ａから長手方向に沿って略直角に折り曲げて、内側側部１２ｄと外側側部１２ｆ間に所定間隔の隙間を設けて断面半円状の前面部１２ｅを成形するとともに、内側側部１２ｄと外側側部１２ｆを離間して並行配置するように成形したものを説明したが、実施例２のように１枚の矩形の金属板１０を長手方向に沿って折り曲げて、内側側部１２ｄと外側側部１２ｆを重ね合わせて、内側側部１２ｄと外側側部１２ｆ間に隙間が無いように成形することもできる。
【００４６】
実施例２の縦枠材３ａについて図５及び図６を参照して説明する。図５及び図６において、内側側部１２ｂと隣接して短手方向に略直角に延長する部位は、内側側部１２ｂとの折り目１４ｂの位置から第８の所定幅Ｌ８の位置で谷折りとなるように略直角に折り曲げられて第１縁部１２ａと並行に中間部１２ｃ１が成形される。そして、中間部１２ｃ１と隣接して短手方向に略直角に延長する部位は、中間部１２ｃ１との折り目１４ｃ１の位置から第４の所定幅Ｌ４の位置で外面が折り返されて重ねられ、折り目１４ｈとともに内側側部１２ｄが成形される。この折り目１４ｈの成形において、折り目１４ｈの位置から第５の所定幅Ｌ５の位置まで延長する位置に成形される外側側部１２ｆと前記内側側部１２ｄは、両者間に隙間が無いように２枚重ね部位１７に成形され、実施例１と同様に、穴部１３と爪部１６の係合により両縁部１２ａ，１２ｇを結合して組み立てられ、奥に内側に突出する角筒部６ａを有する形状の縦枠材３ａが完成する。
【実施例３】
【００４７】
実施例３は、実施例２と同様に１枚の矩形の金属板１０を短手方向の途中の第１位置で、長手方向に沿って折り重ねて２枚重ね部位に成形されている。そして、２枚重ね部位において、先端近傍の第２位置で長手方向に沿って略直角に折り曲げられて側部の先端に突縁が成形されている。また、矩形の金属板の短手方向両端の折り曲げ成形された一端側縁部と、他端側縁部を重ね合わせて、両端側縁部同士をかしめ接合したものである。
【００４８】
図７は、実施例３の縦枠材を示す斜視図、図８は、図７の縦枠材のかしめ成形加工を説明する概略断面図、図９は、図７の平面図である。
【００４９】
以下、図７及び図８を参照して実施例３の縦枠材を説明する。縦枠材３ｂは、１枚の矩形の金属板１０を短手方向の一端２１ａから前記第２の所定幅Ｌ２の位置で外面が山折りとなるように長手方向に沿って略直角に折り曲げられて奧部に縦枠材３の内側に位置する内側側部２２ａが成形されている。そして、一端内側側部２２ａと隣接して短手方向に略直角に延長する部位は、一端側縁部２２ａとの折り目２３ａの位置から第８の所定幅Ｌ８の位置で谷折りとなるように略直角に折り曲げられて中間部２２ｂが成形されている。
【００５０】
また、中間部２２ｂと隣接して短手方向に略直角に延長する部位は、中間部２２ｂとの折り目２３ｂの位置から第９の所定幅Ｌ９の位置で折り返されて折り目２３ｃが成形され、折り目２３ｂと２３ｃとの間に２枚重ね部位２４を成形し、この２枚重ね部位２４において、短手方向の先端から第１０所定幅Ｌ１０の第２位置で外面が山折りとなるように長手方向に沿って略直角に折り曲げられて、折り目２３ｄが成形されることで、この折り目２３ｄと谷折りの折り目２３ｂとの間に２枚重ね部位による側部２２ｃが成形されるとともに、折り目２３ｄから折り曲げ位置２３ｃまでの延長部分が、側部２２ｃに略直角な突縁２５に成形される。
【００５１】
また、側部２２ｃの外側の部位２２ｄは、折り目２３ｄから折り目２３ｂの位置までの側部２２ｃに対応した部位が２枚重ねであり、折り目２３ｂの先の延長部位が１枚の金属板で構成され、折り目２３ｂに対応した位置から前記第２の所定幅Ｌ２の位置で外面が山折りとなるように長手方向に沿って略直角に折り曲げられて縦枠材３の奧部に位置する後部２２ｅが成形されている。そして、後部２２ｅと隣接して短手方向に略直角に延長する部位は、後部２２ｅとの折り目２３ｅの位置から第８の所定幅Ｌ８の位置で山折りとなるように略直角に折り曲げられて奧部に縦枠材３の内側に位置する他端側縁部２２ｆが成形される。縦枠材３ｂは、一端側縁部２２ａと他端側縁部２２ｆを重ね合わせて、図８に示すようにポンチ３２を上方から押し込んでダイス３３との間で重なった両端側縁部同士２２ａ、２２ｆを変形させ、２枚の側縁部同士２２ａ、２２ｆをかしめ成形加工して２枚の側縁部同士２２ａ、２２ｆの接合部にかしめ３４を成形し、奥に内側に突出する角筒部６ｂを有する形状の縦枠材３ｂが完成する。
【００５２】
この実施例３の場合、縦枠材３ａは、１枚の矩形の金属板１０を短手方向の途中の所定位置で、長手方向に沿って折り曲げて側部を２枚重ね部位２４に成形し、２枚重ね部位に成形した側部の先端に折り曲げ成形されてなる突縁２５を設けている。そのため、パチンコ ホールの島に設けられている矩形状の取付枠に外枠を取付けた際に、突縁２５が取付枠の側部に弾性的に当接して取付枠の側部と外枠との間に隙間が生じないものである。また、２枚の側縁部同士２２ａ、２２ｆをかしめ成形加工して接合部にかしめ３４を成形したので、捩れが生じにくく強度がある。
【００５３】
上記した実施例１〜３では、１枚の矩形の金属板の短手方向両端の折り曲げ成形された一端側縁部と他端側縁部とを重ね合わせ、両縁部が結合する部位を、縦枠材の後部や内側側部を例として説明したが、縦枠材の奥に設けられた内側に突出する角筒部の１面を構成する外側側部において一端側縁部と他端側縁部とを重ね合わせて、両縁部を結合することができる。
【実施例４】
【００５４】
パチンコ機の外枠を構成する縦枠材は、前枠が取り付けられると、前枠に装着されている遊技盤の重量が縦枠材にかかり、縦枠材を撓み変形させるような付勢を受ける。実施例４は、薄く成形した縦枠材が、撓み変形しないように、縦枠材に空隙部を設けたものである。実施例４は、実施例２，３と同様に１枚の矩形の金属板１０を短手方向の所定位置で、長手方向に沿って折り返し成形されてなる２枚重ね部位を設けて縦枠材を薄く形成したものである。
【００５５】
図１０は、実施例４の第１例の縦枠材を示す平面図、図１１は、図１０の第１例の縦枠材に短手方向のリブを追加した第２例の縦枠材を示す正面図、図１２は、図１１の縦枠材の平面図、図１３は、図１１の縦枠材のＣ−Ｃ断面図である。なお、以下の説明において、縦枠材の空隙部の外壁を構成する金属板において、外部に突出する個所はリブと称している。
【００５６】
図１０において、縦枠材３ｃは、１枚の矩形の金属板１０を短手方向の一端４１ａから第１所定幅の位置で外面が山折りとなるように長手方向に沿って略直角に折り曲げられて奧部に縦枠材３ｃの内側に位置する一端側縁部４２ａが成形されている。そして、一端内側側部４２ａと隣接して短手方向に略直角に延長する部位は、一端側縁部４２ａとの折り目４３ａの位置から第２所定幅の位置で谷折りとなるように略直角に折り曲げられて中間部４２ｂが成形されている。
【００５７】
また、中間部４２ｂと隣接して短手方向に略直角に延長する部位は、中間部４２ｂとの折り目４３ｂの位置から第３所定幅の位置で短手方向に湾曲して折り返されて、この折り返しの先端に前面部４２ｃが成形されている。そして、前面部４２ｃの折り返し先端の位置から第４所定幅の位置で谷折りされて、谷折りの折り目４３ｄが成形され、折り目４３ｄと折り目４３ｂとの間に２枚重ね部位４４が成形される。これにより、２枚重ね部位４４は、短手方向の先端部分に長手方向に沿った空隙部４５を有する突縁４５ａが設けられる。また、金属板１０は、折り目４３ｄから第５所定幅の位置で山折りとなるように長手方向に沿って略直角に折り曲げられて、折り目４３ｅが成形される。
【００５８】
金属板１０は、折り目４３ｂに対応する位置から折り目４３ｅまでの延長部位が、１枚の金属板で構成され、折り目４３ｅから長手方向に沿って略直角に折り曲げられて縦枠材３ｃの奧部に位置する後部４２ｅが成形されている。そして、後部４２ｅと隣接して短手方向に略直角に延長する部位は、後部４２ｅとの折り目４３ｅの位置から第６の所定幅の位置で山折りに略直角に折り曲げられて折り目４３ｆが成形され、奧部に縦枠材３の内側に位置する他端側縁部４２ｆが成形される。縦枠材３ｃは、一端側縁部４２ａと他端側縁部４２ｆを重ね合わせて接合し、奥に内側に突出する角筒部６ｃを形成して縦枠材３ｃが完成する。
【００５９】
第１例の縦枠材３ｃは、１枚の矩形の金属板１０を短手方向の所定幅の位置で長手方向に沿って短手方向に湾曲して折り返され、折り返しの先端に前面部が成形されている。そして、折り返し先端の近傍位置４３ｄを谷折りして折り返し先端に長手方向に沿うリブ４５ｂを成形し、谷折り位置４３ｄから金属板１０同士が重なり合うように成形して先端にリブ４５ｂによる突縁４５ａを設けて２枚重ね部位４４が成形されたものである。そのため、縦枠材３ｃは、２枚重ね部位４４において、短手方向の端部に位置する突縁４５ａに空隙部４５が設けられ長手方向に撓み変形させないような強度を有する。
【００６０】
縦枠材３ｃは、外枠としてパチンコ機に組み付けられると、外枠に取り付けられた前枠５５が開閉される際に突縁４５ａに接触して擦れることがあっても、金属板１０が折り返されてなる先端の突縁４５ａが丸く湾曲して、バネ性及び円滑性を有しているので、前枠５５の開閉が容易になる。
【００６１】
また、第１例の縦枠材３ｃは、１枚の矩形の金属板１０を折り曲げ成形する前に、予め長手方向のリブ４５ｂを成形しておき、１枚の矩形の金属板１０を短手方向の折り返し位置４３ｃで、長手方向に沿って折り返すことで、長手方向のリブ４５ｂにより、２枚重ね部位４４において、長手方向の空隙部４５が成形されるようにしてもよい。この場合、金属板１０に予め長手方向のリブ４５ｂを成形したことで、先端近傍の位置４３ｄから金属板１０同士が重なり合って２枚重ね部位４４が成形されるので、先端近傍を位置４３ｄから谷折りする工程を省略することができる。
【００６２】
図１０〜図１３において、第２例の縦枠材３ｄは、１枚の矩形の金属板１０に予め長手方向のリブ４５ｂを成形するとともに長手方向のリブ４５ｂから短手方向に延びるリブ４６ｂを成形しておき、１枚の矩形の金属板１０を短手方向の折り返し位置４３ｃで、長手方向に沿って折り返すことで、長手方向のリブ４５ｂと短手方向のリブ４６ｂにより、２枚重ね部位４４において、長手方向の空隙部４５から短手方向に延びる複数の空隙部４６が長手方向に所定の間隔を設けて成形されてなるものである。第２例の縦枠材３ｄは、金属板１０の２枚重ね部位４４において、長手方向のリブ４５ｂと短手方向のリブ４６ｂを成形したので、長手方向及び短手方向に撓み変形しないような強度を有する。
【００６３】
縦枠材３ｃは、２枚重ね部位において、短手方向の端部に長手方向の空隙部４５を１つ設けたものであるが、長手方向の空隙部４５は、短手方向の端部から所定の間隔を有するように、例えば、中央部に設けても良い。また、長手方向の空隙部４５は、並行して複数成形してもよい。
【００６４】
図１４は、第３例の縦枠材の断面図、図１５は、第４例の縦枠材の正面図、図１６は、図１５のＤ−Ｄ断面図である。
【００６５】
図１４において、第３例の縦枠材３ｅは、１枚の矩形の金属板１０に予め断面が短手方向に連続する波形である長手方向のリブ４５ｃを複数成形しておき、１枚の矩形の金属板１０を短手方向の折り返し位置４３ｃで、長手方向に沿って折り返すことで、複数の断面波形のリブ４５ｃにより、２枚重ね部位４４において、短手方向の断面が波形である長手方向の空隙部４５ｄが並行して複数成形されたものである。なお、リブ４５ｃの波形は、例えば、三角波、矩形波、サイン波が適用できる。
【００６６】
図１５及び図１６において、第４例の縦枠材３ｆは、１枚の矩形の金属板１０に予め断面が短手方向に連続する矩形の波形である長手方向のリブ４５ｅを複数成形しておき、１枚の矩形の金属板１０を短手方向の折り返し位置４３ｃで、長手方向に沿って折り返すことで、複数のリブ４５ｅにより、２枚重ね部位４４において、短手方向の断面が矩形である長手方向の空隙部４５ｆが並行して複数成形されている。そして、金属板１０の断面矩形の各底部４５ｇにおいて、金属板同士を重ね合わせて機械的に接合してかしめ４５ｈを成形したもので、金属板同士が面接触しているとともに、面接触の中央部がかしめ接合されている。
【００６７】
前記第１例〜第４例の縦枠材以外にも、縦枠材の２枚重ね部位において、空隙部を成形する場合、長手方向の複数の空隙部と短手方向の複数の空隙部が交差するように成形されていてもよい。
【実施例５】
【００６８】
パチンコ機の外枠は、略水平方向に延びる上下一対の横枠材と略鉛直方向に延びる左右一対の縦枠材からなり、全体として四角枠状に形成されている。縦枠材と横枠材の接合において、縦枠材は、長手方向端面を横枠材の長手方向端部の内面に当接して、横枠材と直角に配置し、略直角に折り曲げられた金属板から成る第１結合具を使用して結合されている。実施例５は、４隅の内側にも略直角に折り曲げられた金属板から成る第２結合具を使用して結合させて強度を持たせたものである。
【００６９】
図１７は、実施例５の縦枠材の要部を示す斜視図、図１８は、実施例５の縦枠材を横枠材と結合した状態の斜視図、図１９は、実施例３及び実施例５を組み合わせた縦枠材を使用して組立てたパチンコ機の外枠を示す斜視図である。
【００７０】
実施例５は、前記した実施例１〜４の縦枠材を適用できるので、以下の説明では、実施例１〜４の縦枠材を総称して縦枠材３と称して説明する。また、パチンコ機の外枠において、左右の縦枠材３，３と上下の横枠材２ａ，２ｂの接合は、４隅で同様であるので、ここでは、左の縦枠材３と下部の横枠材２ｂとの接合について説明する。
【００７１】
図１７において、縦枠材３は、長手方向の両端部（図１７では下端部）の外面において、２枚の固定板部７ａ，７ｂが所定の開き角度（図１７では略直角）で連なる第１結合具７が一方の固定板部７ａを面接触して固定されるとともに、長手方向端部の内面において、２枚の固定板部５０ａ，５０ｂが所定の開き角度（図１７では略直角）で連なる第２結合具５０が一方の固定板部５０ａを縦枠材３の両端において、内面と外面にそれぞれ面接触して機械的に接合してかしめ７ｃ，５０ｃを成形し、第１結合具７と第２結合具５０は、それぞれかしめ接合により縦枠材３の内面と外面に固定されている。上述した、縦枠材３の内面と外面に第１結合具７と第２結合具５０を固定する場合、かしめ接合の代わりにネジで接合してもよい。図１７，１８の場合、第２結合具５０は、他方の固定板部５０ｂの短手方向の寸法が一方の固定板部５０ａの短手方向の寸法よりも大きく形成されて、固定板部５０ａ，５０ｂとの境目側に段差部が形成されている。他方の固定板部５０ｂは、段差部の内角部近傍から長手方向に所定の位置まで切り込まれており、この切り込みの端部で略直角に内側に折り曲げられて、一方の固定板部５０ａと並行に切り起こし片５１が成形されている。切り起こし片５１は、２枚の固定板部５０ｂ，５１ａが所定の開き角度（図１７では略直角）で連なり、縦枠材３の奥の内側に突出する角筒部６の内側の側面と面接触させて機械的に接合し、かしめ５１ａが成形されている。縦枠材３は、その両端において、第１結合具７と第２結合具５０が固定され、第１結合具７と第２結合具５０の各他方の固定板部７ｂ，５０ｂが、長手方向に直角な短手方向に突き出して設けられている。
【００７２】
図１８において、縦枠材３は、長手方向の両端部に固定した１結合具７及び第２結合具５０の各他方の固定板部７ｂ，５０ｂ間に横枠材２ｂを挟んで配置することで、横枠材２ｂが直角に配置される。そして、第１結合具７の他方の固定板部７ｂを横枠材２ｂの外面に面接触してネジＰにより固定し、また、第２結合具５０の他方の固定板部５０ｂを横枠材２ｂの内面に面接触してネジＰにより固定されて、縦枠材３と横枠材２ｂは、直角に接合され、左右の縦枠材３，３と上下の横枠材２ａ，２ｂの組み合わせによる他の３隅を同様に結合すれば、図１９に示すようにパチンコ機の外枠が完成する。
【００７３】
実施例５の場合、縦枠材３は、その両端において、第１結合具７と第２結合具５０の各他方の固定板部７ｂ，５０ｂが、長手方向に直角な短手方向に突き出して並行に設けられているので、第１結合具７と第２結合具の固定板部７ｂ，５０ｂ間に横枠材２ｂを挟んで配置することで、縦枠材３に対して横枠材２ｂを容易に直角に配置することができる。また、２枚の固定板部が直角に連設する第１、第２結合具を使用して、パチンコ機の４隅にそれぞれの内側と外側を結合することによって、左右の縦枠材３，３と上下の横枠材２ａ，２ｂは、強固に結合できるものである。
【符号の説明】
【００７４】
１  パチンコ機の外枠
２ａ，２ｂ  横枠材
３，３ａ，３ｂ，３ｃ  縦枠材
４  前板部材
６，６ａ，６ｂ，６ｃ  角筒部
７  第１結合具
７ａ，５０ａ  一方の固定板部
７ｂ，５０ｂ  他方の固定板部
３４，４５ｈ，５０ｃ，５１ａ  かしめ
１０  金属板
１１ａ，２１ａ，４１ａ  一端
１１ｂ  他端
１２ａ，２２ａ，４２ａ  一端側縁部
１２ｂ，１２ｄ，２２ａ  内側側部
１２ｃ，１２ｃ１，２２ｂ,４２ｂ  中間部
１２ｅ，４２ｃ  前面部
１２ｆ  外側側部
１２ｇ，２２ｆ，４２ｆ  他端側縁部
１２ｈ  段差下部位
１３  穴部
１３ａ  先端側の内端面
１３ｂ，１３ｃ  内端面
１４ａ，１４ｂ，１４ｃ，１４ｃ１，１４ｆ，１４ｈ，２３ａ，２３ｂ，２３ｃ，２３ｄ，２３ｅ，４３ｂ，４３ｄ，４３ｅ，４３ｆ  折り目
１４ｄ，１４ｅ  境目
１４ｇ  段差
１６  爪部
１６ａ  先端部
１６ｂ，１６ｃ  端面
１７，２４，４４  ２枚重ね部位
２２ｃ  側部
２２ｅ，４２ｅ  後部
２３ｃ  折り曲げ位置
２５，４５ａ  突縁
３２  ポンチ
３３  ダイス
４５  空隙部
４５ｂ，４６ｂ，４５ｃ，４５ｄ  リブ
４５ｇ  底部
５０  第２結合具
５５  前枠
Ｐ  ネジ
【図１】
2010148843.tif 000003
【図２】
2010148843.tif 000004
【図３】
2010148843.tif 000005
【図４】
2010148843.tif 000006
【図５】
2010148843.tif 000007
【図６】
2010148843.tif 000008
【図７】
2010148843.tif 000009
【図８】
2010148843.tif 000010
【図９】
2010148843.tif 000011
【図１０】
2010148843.tif 000012
【図１１】
2010148843.tif 000013
【図１２】
2010148843.tif 000014
【図１３】
2010148843.tif 000015
【図１４】
2010148843.tif 000016
【図１５】
2010148843.tif 000017
【図１６】
2010148843.tif 000018
【図１７】
2010148843.tif 000019
【図１８】
2010148843.tif 000020
【図１９】
2010148843.tif 000021